(57)【要約】  本願の実施例はリソーススケジューリング方法、端末装置及びネットワーク装置を開示し、該方法は、端末装置はネットワーク装置から送信された、現在アクティブ状態にある該端末装置の第１帯域幅部分（ＢＷＰ）におけるリソースをスケジューリングするためのダウンリンク制御情報（ＤＣＩ）を受信することと、該端末装置は該ＤＣＩをスクランブルする無線ネットワーク一時識別子（ＲＮＴＩ）に対応するサブキャリア間隔を決定し、該ＤＣＩをスクランブルするＲＮＴＩに対応するサブキャリア間隔は該第１ＢＷＰにおいてリソースをスケジューリングするのに用いるサブキャリア間隔であることと、を含む。本願の実施例の方法、端末装置及びネットワーク装置において、ＤＣＩをスクランブルするＲＮＴＩでサブキャリア間隔を示すことにより、処理対象サービスのタイプが変化するとき、端末装置がサブキャリア間隔を迅速に切り替えることを可能にし、端末装置のサービスの豊かさとサービス能力を大幅に向上させ、通信性能を向上させる。
2021530132.tif 000002
【特許請求の範囲】
【請求項１】
リソーススケジューリング方法であって、
端末装置は、ネットワーク装置から送信された、現在アクティブ状態にある前記端末装置の第１帯域幅部分（ＢＷＰ）におけるリソースをスケジューリングするためのダウンリンク制御情報（ＤＣＩ）を受信することと、
前記端末装置は、前記ＤＣＩをスクランブルする無線ネットワーク一時識別子（ＲＮＴＩ）に対応するサブキャリア間隔を決定し、前記ＤＣＩをスクランブルするＲＮＴＩに対応するサブキャリア間隔は、前記第１ＢＷＰにおいてリソースをスケジューリングするのに用いるサブキャリア間隔であることと、を含むことを特徴とするリソーススケジューリング方法。
【請求項２】
前記端末装置がネットワーク装置から送信されたダウンリンク制御情報（ＤＣＩ）を受信する前に、前記方法は更に、
前記端末装置が前記第１ＢＷＰの構成パラメータを受信し、前記構成パラメータが複数のサブキャリア間隔を含み、異なるサブキャリア間隔は異なるＲＮＴＩに対応することを含み、
前記端末装置が前記ＤＣＩをスクランブルする無線ネットワーク一時識別子（ＲＮＴＩ）に基づいて、前記第１ＢＷＰにおいてリソースをスケジューリングするのに用いるサブキャリア間隔を決定することは、
前記端末装置が、前記複数のサブキャリア間隔から、前記ＤＣＩをスクランブルするＲＮＴＩに対応するサブキャリア間隔を決定することを含むことを特徴とする請求項１に記載の方法。
【請求項３】
前記端末装置がネットワーク装置から送信されたダウンリンク制御情報（ＤＣＩ）を受信する前に、前記方法は更に、
前記端末装置が前記第１ＢＷＰの構成パラメータを受信し、前記構成パラメータが第１サブキャリア間隔を含み、前記第１サブキャリア間隔が第１ＲＮＴＩに対応することと、
前記端末装置が少なくとも１つのサブキャリア間隔を示すための第１構成情報を受信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、を含み、
前記端末装置が前記ＤＣＩをスクランブルする無線ネットワーク一時識別子（ＲＮＴＩ）に基づいて、前記第１ＢＷＰにおいてリソースをスケジューリングするのに用いるサブキャリア間隔を決定することは、
前記端末装置が前記第１サブキャリア間隔及び前記少なくとも１つのサブキャリア間隔から、前記ＤＣＩをスクランブルするＲＮＴＩに対応するサブキャリア間隔を決定することを含むことを特徴とする請求項１に記載の方法。
【請求項４】
前記少なくとも１つのサブキャリア間隔は、前記ネットワーク装置が前記第１ＢＷＰに設定したものであることを特徴とする請求項３に記載の方法。
【請求項５】
前記端末装置がネットワーク装置から送信されたダウンリンク制御情報（ＤＣＩ）を受信する前に、前記方法は更に、
前記端末装置が前記第１ＢＷＰの構成パラメータを受信し、前記構成パラメータが第１サブキャリア間隔を含み、前記第１サブキャリア間隔が第１ＲＮＴＩに対応することと、
前記端末装置が、少なくとも１つのサブキャリア間隔のうちの各サブキャリア間隔と前記第１サブキャリア間隔とのマッピング関係を示すための第１構成情報を受信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、を含み、
前記端末装置が前記ＤＣＩをスクランブルする無線ネットワーク一時識別子（ＲＮＴＩ）に基づいて、前記第１ＢＷＰにおいてリソースをスケジューリングするのに用いるサブキャリア間隔を決定することは、
前記端末装置が前記第１サブキャリア間隔及び前記少なくとも１つのサブキャリア間隔から、前記ＤＣＩをスクランブルするＲＮＴＩに対応するサブキャリア間隔を決定することを含むことを特徴とする請求項１に記載の方法。
【請求項６】
前記ＤＣＩをスクランブルするＲＮＴＩが前記少なくとも１つのＲＮＴＩのうちの第２ＲＮＴＩである場合、前記方法は更に、
前記端末装置が前記第１サブキャリア間隔及び前記マッピング関係に基づいて、前記第２ＲＮＴＩに対応する第２サブキャリア間隔を決定することを含み、
前記端末装置が前記第１サブキャリア間隔及び前記少なくとも１つのサブキャリア間隔から、前記ＤＣＩをスクランブルするＲＮＴＩに対応するサブキャリア間隔を決定することは、
前記端末装置が前記第２サブキャリア間隔を、前記第１ＢＷＰにおいてリソースをスケジューリングするのに用いるサブキャリア間隔として決定することを含むことを特徴とする請求項５に記載の方法。
【請求項７】
前記マッピング関係は予め定義されたマッピングテーブル又は前記ネットワーク装置が設定したマッピングテーブルで示され、或いは、前記マッピング関係は予め定義された倍数又は分数関係、又は前記ネットワーク装置が設定した倍数又は分数関係で示されることを特徴とする請求項５又は６に記載の方法。
【請求項８】
前記端末装置がネットワーク装置から送信されたダウンリンク制御情報（ＤＣＩ）を受信する前に、前記方法は更に、
前記端末装置が前記少なくとも１つのＲＮＴＩを使用できることを示すための第２構成情報を受信することを含むことを特徴とする請求項３〜７のいずれか１項に記載の方法。
【請求項９】
前記第１ＲＮＴＩは前記少なくとも１つのＲＮＴＩのタイプと異なり、前記第１ＲＮＴＩはＣ−ＲＮＴＩであることを特徴とする請求項３〜８のいずれか１項に記載の方法。
【請求項１０】
前記第１ＢＷＰはアップリンクＢＷＰ又はダウンリンクＢＷＰであることを特徴とする請求項１〜９のいずれか１項に記載の方法。
【請求項１１】
リソーススケジューリング方法であって、
ネットワーク装置は現在の処理対象サービスのタイプに基づいて、現在アクティブ状態にある端末装置の第１帯域幅部分（ＢＷＰ）においてリソースをスケジューリングするのに用いるサブキャリア間隔を決定することと、
前記ネットワーク装置は、前記第１ＢＷＰにおけるリソースをスケジューリングするためのダウンリンク制御情報（ＤＣＩ）を前記端末装置に送信し、前記ＤＣＩをスクランブルする無線ネットワーク一時識別子（ＲＮＴＩ）は、前記第１ＢＷＰにおいてリソースをスケジューリングするのに用いるサブキャリア間隔を示すことに用いられることと、を含むことを特徴とするリソーススケジューリング方法。
【請求項１２】
前記ネットワーク装置が端末装置にダウンリンク制御情報（ＤＣＩ）を送信する前に、前記方法は更に、
前記ネットワーク装置が前記端末装置に前記第１ＢＷＰの構成パラメータを送信し、前記構成パラメータが複数のサブキャリア間隔を含み、異なるサブキャリア間隔が異なるＲＮＴＩに対応することを含むことを特徴とする請求項１１に記載の方法。
【請求項１３】
前記ネットワーク装置が端末装置にダウンリンク制御情報（ＤＣＩ）を送信する前に、前記方法は更に、
前記ネットワーク装置が前記端末装置に前記第１ＢＷＰの構成パラメータを送信し、前記構成パラメータが第１サブキャリア間隔を含み、前記第１サブキャリア間隔が第１ＲＮＴＩに対応することと、
前記ネットワーク装置が少なくとも１つのサブキャリア間隔を示すための第１構成情報を前記端末装置に送信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、を含むことを特徴とする請求項１１に記載の方法。
【請求項１４】
前記少なくとも１つのサブキャリア間隔は、前記ネットワーク装置が前記第１ＢＷＰに設定したものであることを特徴とする請求項１３に記載の方法。
【請求項１５】
前記ネットワーク装置が端末装置にダウンリンク制御情報（ＤＣＩ）を送信する前に、前記方法は更に、
前記ネットワーク装置が前記端末装置に前記第１ＢＷＰの構成パラメータを送信し、前記構成パラメータが第１サブキャリア間隔を含み、前記第１サブキャリア間隔が第１ＲＮＴＩに対応することと、
前記ネットワーク装置が、少なくとも１つのサブキャリア間隔のうちの各サブキャリア間隔と前記第１サブキャリア間隔とのマッピング関係を示すための第１構成情報を前記端末装置に送信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、を含むことを特徴とする請求項１１に記載の方法。
【請求項１６】
前記マッピング関係は予め定義されたマッピングテーブル又は前記ネットワーク装置が設定したマッピングテーブルで示され、或いは、前記マッピング関係は予め定義された倍数関係又は分数、又は前記ネットワーク装置が設定した倍数関係又は分数で示されることを特徴とする請求項１５に記載の方法。
【請求項１７】
前記ネットワーク装置が端末装置にダウンリンク制御情報（ＤＣＩ）を送信する前に、前記方法は更に、
前記ネットワーク装置が前記少なくとも１つのＲＮＴＩを使用できることを示すための第２構成情報を前記端末装置に送信することを含むことを特徴とする請求項１３〜１６のいずれか１項に記載の方法。
【請求項１８】
前記第１ＲＮＴＩは前記少なくとも１つのＲＮＴＩのタイプと異なり、前記第１ＲＮＴＩはＣ−ＲＮＴＩであることを特徴とする請求項１３〜１７のいずれか１項に記載の方法。
【請求項１９】
前記ネットワーク装置が現在の処理対象サービスのタイプに基づいて、現在アクティブ状態にある端末装置の第１帯域幅部分（ＢＷＰ）においてリソースをスケジューリングするのに用いるサブキャリア間隔を決定することは、
前記現在の処理対象サービスが拡張モバイルブロードバンド（ｅＭＢＢ）サービスである場合、前記ネットワーク装置が第１サブキャリア間隔を、前記第１ＢＷＰにおいてリソースをスケジューリングするのに用いるサブキャリア間隔として決定することと、
前記現在の処理対象サービスが超高信頼低遅延（ＵＲＬＬＣ）サービスである場合、前記ネットワーク装置が第２サブキャリア間隔を、前記第１ＢＷＰにおいてリソースをスケジューリングするのに用いるサブキャリア間隔として決定し、前記第２サブキャリア間隔が前記第１サブキャリア間隔より大きいことと、を含むことを特徴とする請求項１１〜１８のいずれか１項に記載の方法。
【請求項２０】
前記第１ＢＷＰはアップリンクＢＷＰ又はダウンリンクＢＷＰであることを特徴とする請求項１１〜１９のいずれか１項に記載の方法。
【請求項２１】
端末装置であって、
ネットワーク装置から送信された、現在アクティブ状態にある前記端末装置の第１帯域幅部分（ＢＷＰ）におけるリソースをスケジューリングするためのダウンリンク制御情報（ＤＣＩ）を受信することに用いられる受信ユニットと、
前記ＤＣＩをスクランブルする無線ネットワーク一時識別子（ＲＮＴＩ）に対応するサブキャリア間隔を決定することに用いられ、前記ＤＣＩをスクランブルするＲＮＴＩに対応するサブキャリア間隔は前記第１ＢＷＰにおいてリソースをスケジューリングするのに用いるサブキャリア間隔である決定ユニットと、を備えることを特徴とする端末装置。
【請求項２２】
前記受信ユニットは更に、前記第１ＢＷＰの構成パラメータを受信することを含み、前記構成パラメータは複数のサブキャリア間隔を含み、異なるサブキャリア間隔は異なるＲＮＴＩに対応し、
前記決定ユニットは具体的に、前記複数のサブキャリア間隔から、前記ＤＣＩをスクランブルするＲＮＴＩに対応するサブキャリア間隔を決定することに用いられることを特徴とする請求項２１に記載の端末装置。
【請求項２３】
前記受信ユニットは更に、
前記第１ＢＷＰの構成パラメータを受信し、前記構成パラメータが第１サブキャリア間隔を含み、前記第１サブキャリア間隔が第１ＲＮＴＩに対応することと、
少なくとも１つのサブキャリア間隔を示すための第１構成情報を受信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられ、
前記決定ユニットは具体的に、
前記第１サブキャリア間隔及び前記少なくとも１つのサブキャリア間隔から、前記ＤＣＩをスクランブルするＲＮＴＩに対応するサブキャリア間隔を決定することに用いられることを特徴とする請求項２１に記載の端末装置。
【請求項２４】
前記少なくとも１つのサブキャリア間隔は、前記ネットワーク装置が前記第１ＢＷＰに設定したものであることを特徴とする請求項２３に記載の端末装置。
【請求項２５】
前記受信ユニットは更に、
前記第１ＢＷＰの構成パラメータを受信し、前記構成パラメータが第１サブキャリア間隔を含み、前記第１サブキャリア間隔が第１ＲＮＴＩに対応することと、
少なくとも１つのサブキャリア間隔のうちの各サブキャリア間隔と前記第１サブキャリア間隔とのマッピング関係を示すための第１構成情報を受信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられ、
前記決定ユニットは具体的に、
前記第１サブキャリア間隔及び前記少なくとも１つのサブキャリア間隔から、前記ＤＣＩをスクランブルするＲＮＴＩに対応するサブキャリア間隔を決定することに用いられることを特徴とする請求項２１に記載の端末装置。
【請求項２６】
前記ＤＣＩをスクランブルするＲＮＴＩが前記少なくとも１つのＲＮＴＩのうちの第２ＲＮＴＩである場合、前記決定ユニットは更に、
前記第１サブキャリア間隔及び前記マッピング関係に基づいて、前記第２ＲＮＴＩに対応する第２サブキャリア間隔を決定することに用いられ、
前記決定ユニットは具体的に、
前記第２サブキャリア間隔を、前記第１ＢＷＰにおいてリソースをスケジューリングするのに用いるサブキャリア間隔として決定することに用いられることを特徴とする請求項２５に記載の端末装置。
【請求項２７】
前記マッピング関係は予め定義されたマッピングテーブル又は前記ネットワーク装置が設定したマッピングテーブルで示され、或いは、前記マッピング関係は予め定義された倍数又は分数関係、又は前記ネットワーク装置が設定した倍数又は分数関係で示されることを特徴とする請求項２５又は２６に記載の端末装置。
【請求項２８】
前記受信ユニットは更に、
前記少なくとも１つのＲＮＴＩを使用できることを示すための第２構成情報を受信することに用いられることを特徴とする請求項２３〜２７のいずれか１項に記載の端末装置。
【請求項２９】
前記第１ＲＮＴＩは前記少なくとも１つのＲＮＴＩのタイプと異なり、前記第１ＲＮＴＩはＣ−ＲＮＴＩであることを特徴とする請求項２３〜２８のいずれか１項に記載の端末装置。
【請求項３０】
前記第１ＢＷＰはアップリンクＢＷＰ又はダウンリンクＢＷＰであることを特徴とする請求項２１〜２９のいずれか１項に記載の端末装置。
【請求項３１】
ネットワーク装置であって、
現在の処理対象サービスのタイプに基づいて、現在アクティブ状態にある端末装置の第１帯域幅部分（ＢＷＰ）においてリソースをスケジューリングするのに用いるサブキャリア間隔を決定することに用いられる決定ユニットと、
前記第１ＢＷＰにおけるリソースをスケジューリングするためのダウンリンク制御情報（ＤＣＩ）を前記端末装置に送信することに用いられ、前記ＤＣＩをスクランブルする無線ネットワーク一時識別子（ＲＮＴＩ）は前記第１ＢＷＰにおいてリソースをスケジューリングするのに用いるサブキャリア間隔を示すことに用いられる送信ユニットと、を備えることを特徴とするネットワーク装置。
【請求項３２】
前記送信ユニットは更に、前記端末装置に前記第１ＢＷＰの構成パラメータを送信することに用いられ、前記構成パラメータは複数のサブキャリア間隔を含み、異なるサブキャリア間隔は異なるＲＮＴＩに対応することを特徴とする請求項３１に記載のネットワーク装置。
【請求項３３】
前記送信ユニットは更に、
前記端末装置に前記第１ＢＷＰの構成パラメータを送信し、前記構成パラメータが第１サブキャリア間隔を含み、前記第１サブキャリア間隔が第１ＲＮＴＩに対応することと、
少なくとも１つのサブキャリア間隔を示すための第１構成情報を前記端末装置に送信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられることを特徴とする請求項３１に記載のネットワーク装置。
【請求項３４】
前記少なくとも１つのサブキャリア間隔は、前記ネットワーク装置が前記第１ＢＷＰに設定したものであることを特徴とする請求項３３に記載のネットワーク装置。
【請求項３５】
前記送信ユニットは更に、
前記端末装置に前記第１ＢＷＰの構成パラメータを送信し、前記構成パラメータが第１サブキャリア間隔を含み、前記第１サブキャリア間隔が第１ＲＮＴＩに対応することと、
少なくとも１つのサブキャリア間隔のうちの各サブキャリア間隔と前記第１サブキャリア間隔とのマッピング関係を示すための第１構成情報を前記端末装置に送信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられることを特徴とする請求項３１に記載のネットワーク装置。
【請求項３６】
前記マッピング関係は予め定義されたマッピングテーブル又は前記ネットワーク装置が設定したマッピングテーブルで示され、或いは、前記マッピング関係は予め定義された倍数又は分数関係、又は前記ネットワーク装置が設定した倍数又は分数関係で示されることを特徴とする請求項３５に記載のネットワーク装置。
【請求項３７】
前記送信ユニットは更に、
前記少なくとも１つのＲＮＴＩを使用できることを示すための第２構成情報を前記端末装置に送信することに用いられることを特徴とする請求項３３〜３６のいずれか１項に記載のネットワーク装置。
【請求項３８】
前記第１ＲＮＴＩは前記少なくとも１つのＲＮＴＩのタイプと異なり、前記第１ＲＮＴＩはＣ−ＲＮＴＩであることを特徴とする請求項１３〜１７のいずれか１項に記載のネットワーク装置。
【請求項３９】
前記決定ユニットは具体的に、
前記現在の処理対象サービスが拡張モバイルブロードバンド（ｅＭＢＢ）サービスである場合、第１サブキャリア間隔を、前記第１ＢＷＰにおいてリソースをスケジューリングするのに用いるサブキャリア間隔として決定することと、
前記現在の処理対象サービスが超高信頼低遅延（ＵＲＬＬＣ）サービスである場合、第２サブキャリア間隔を、前記第１ＢＷＰにおいてリソースをスケジューリングするのに用いるサブキャリア間隔として決定し、前記第２サブキャリア間隔が前記第１サブキャリア間隔より大きいことと、に用いられることを特徴とする請求項３１〜３８のいずれか１項に記載のネットワーク装置。
【請求項４０】
前記第１ＢＷＰはアップリンクＢＷＰ又はダウンリンクＢＷＰであることを特徴とする請求項３１〜３９のいずれか１項に記載のネットワーク装置。
【請求項４１】
端末装置であって、プロセッサ及びメモリを備え、該メモリはコンピュータプログラムを記憶することに用いられ、前記プロセッサは前記メモリに記憶されるコンピュータプログラムを呼び出して実行して、請求項１〜１０のいずれか１項に記載の方法を実行することに用いられることを特徴とする端末装置。
【請求項４２】
ネットワーク装置であって、プロセッサ及びメモリを備え、該メモリはコンピュータプログラムを記憶することに用いられ、前記プロセッサは前記メモリに記憶されるコンピュータプログラムを呼び出して実行して、請求項１１〜２０のいずれか１項に記載の方法を実行することに用いられることを特徴とするネットワーク装置。
【請求項４３】
チップであって、メモリからコンピュータプログラムを呼び出して実行することにより、前記チップを取り付ける装置に請求項１〜１０のいずれか１項に記載の方法を実行させるためのプロセッサを備えることを特徴とするチップ。
【請求項４４】
チップであって、メモリからコンピュータプログラムを呼び出して実行することにより、前記チップを取り付ける装置に請求項１１〜２０のいずれか１項に記載の方法を実行させるためのプロセッサを備えることを特徴とするチップ。
【請求項４５】
コンピュータプログラムを記憶することに用いられ、前記コンピュータプログラムによってコンピュータが請求項１〜１０のいずれか１項に記載の方法を実行することを特徴とするコンピュータ可読記憶媒体。
【請求項４６】
コンピュータプログラムを記憶することに用いられ、前記コンピュータプログラムによってコンピュータが請求項１１〜２０のいずれか１項に記載の方法を実行することを特徴とするコンピュータ可読記憶媒体。
【請求項４７】
コンピュータプログラム命令を含み、該コンピュータプログラム命令によってコンピュータが請求項１〜１０のいずれか１項に記載の方法を実行することを特徴とするコンピュータプログラム製品。
【請求項４８】
コンピュータプログラム命令を含み、該コンピュータプログラム命令によってコンピュータが請求項１１〜２０のいずれか１項に記載の方法を実行することを特徴とするコンピュータプログラム製品。
【請求項４９】
コンピュータに請求項１〜１０のいずれか１項に記載の方法を実行させることを特徴とするコンピュータプログラム。
【請求項５０】
コンピュータに請求項１１〜２０のいずれか１項に記載の方法を実行させることを特徴とするコンピュータプログラム。
【発明の詳細な説明】
【技術分野】
【０００１】
本願の実施例は通信分野に関し、具体的にリソーススケジューリング方法、端末装置及びネットワーク装置に関する。
【背景技術】
【０００２】
ロングタームエボリューション（ＬＴＥ、Ｌｏｎｇ  Ｔｅｒｍ  Ｅｖｏｌｕｔｉｏｎ）システムにおいて、端末装置の動作帯域幅及びサブキャリア間隔はいずれも単一のものであり、動作帯域幅はセルシステム帯域幅に等しく、サブキャリア間隔は１５ｋＨｚであり、従って、端末装置は通常のサービス、例えばモバイルブロードバンド（ＭＢＢ、Ｍｏｂｉｌｅ  Ｂｒｏａｄｂａｎｄ）しかサポートできない。
【０００３】
５Ｇ標準には多くのサービスタイプ、例えば超高信頼・低遅延通信（ｕＲＬＬＣ、Ｕｌｔｒａ  Ｒｅｌｉａｂｌｅ＆Ｌｏｗ  Ｌａｔｅｎｃｙ  Ｃｏｍｍｕｎｉｃａｔｉｏｎ）サービスが導入された。５Ｇ標準には更に１５ｋＨｚ、３０ｋＨｚ、６０ｋＨｚ、１２０ｋＨｚ及び２４０ｋＨｚ等のサブキャリア間隔を含む複数のパラメータセット（Ｎｕｍｅｒｏｌｏｇｙ）が導入された。それと同時に、５Ｇ標準には帯域幅部分（ＢＷＰ、Ｂａｎｄｗｉｄｔｈ  Ｐａｒｔ）が導入され、１つのＢＷＰが一部のシステム帯域幅のみをカバレッジし、あるＮｕｍｅｒｏｌｏｇｙのみに対応してもよい。ネットワーク装置は端末装置に複数のＢＷＰを設定することができ、各ＢＷＰが１種類のＮｕｍｅｒｏｌｏｇｙ（サブキャリア間隔、サイクリックプレフィックス（ＣＰ）を含む）に基づくものである。ある時刻で、１つの端末装置に対して１つのＢＷＰしかアクティブ化できない。異なるサービスタイプに必要なＮｕｍｅｒｏｌｏｇｙが異なるため、サービスタイプが変化する際に現段階ではＢＷＰを切り替えることで実現される。しかしながら、ＢＷＰを切り替えるのに数百マイクロ秒〜数ミリ秒の過渡期が必要であるため、２種類のＮｕｍｅｒｏｌｏｇｙを迅速に切り替えることが不可能であり、端末装置のサービスの豊かさとサービス能力を大幅に制限する。
【発明の概要】
【発明が解決しようとする課題】
【０００４】
本願の実施例はリソーススケジューリング方法、端末装置及びネットワーク装置を提供し、端末装置のサービスの豊かさとサービス能力を大幅に向上させ、通信性能を向上させる。
【課題を解決するための手段】
【０００５】
第１態様ではリソーススケジューリング方法を提供し、
端末装置はネットワーク装置から送信された、現在アクティブ状態にある該端末装置の第１帯域幅部分（ＢＷＰ）におけるリソースをスケジューリングするためのダウンリンク制御情報（ＤＣＩ）を受信することと、
該端末装置は該ＤＣＩをスクランブルする無線ネットワーク一時識別子（ＲＮＴＩ）に対応するサブキャリア間隔を決定し、該ＤＣＩをスクランブルするＲＮＴＩに対応するサブキャリア間隔は該第１ＢＷＰにおいてリソースをスケジューリングするのに用いるサブキャリア間隔であることと、を含む。
【０００６】
第２態様ではリソーススケジューリング方法を提供し、
ネットワーク装置は現在の処理対象サービスのタイプに基づいて、現在アクティブ状態にある端末装置の第１帯域幅部分（ＢＷＰ）においてリソースをスケジューリングするのに用いるサブキャリア間隔を決定することと、
該ネットワーク装置は該第１ＢＷＰにおけるリソースをスケジューリングするためのダウンリンク制御情報（ＤＣＩ）を該端末装置に送信し、該ＤＣＩをスクランブルする無線ネットワーク一時識別子（ＲＮＴＩ）は該第１ＢＷＰにおいてリソースをスケジューリングするのに用いるサブキャリア間隔を示すことに用いられることと、を含む。
【０００７】
第３態様では端末装置を提供し、該端末装置は上記第１態様又はその各実現方式における方法を実行することに用いられる。
【０００８】
具体的に、該端末装置は上記第１態様又はその各実現方式における方法を実行するための機能モジュールを備える。
【０００９】
第４態様ではネットワーク装置を提供し、該ネットワーク装置は上記第２態様又はその各実現方式における方法を実行することに用いられる。
【００１０】
具体的に、該端末装置は上記第２態様又はその各実現方式における方法を実行するための機能モジュールを備える。
【００１１】
第５態様では端末装置を提供し、該端末装置はプロセッサ及びメモリを備える。該メモリはコンピュータプログラムを記憶することに用いられ、該プロセッサは該メモリに記憶されるコンピュータプログラムを呼び出して実行して、上記第１態様又はその各実現方式における方法を実行することに用いられる。
【００１２】
第６態様ではネットワーク装置を提供し、該ネットワーク装置はプロセッサ及びメモリを備える。該メモリはコンピュータプログラムを記憶することに用いられ、該プロセッサは該メモリに記憶されるコンピュータプログラムを呼び出して実行して、上記第２態様又はその各実現方式における方法を実行することに用いられる。
【００１３】
第７態様ではチップを提供し、該チップは上記第１態様〜第２態様のうちのいずれか１つの態様又はその各実現方式における方法を実現することに用いられる。
【００１４】
具体的に、該チップは、メモリからコンピュータプログラムを呼び出して実行することにより、該チップを取り付ける装置に上記第１態様〜第２態様のうちのいずれか１つの態様又はその各実現方式における方法を実行させるためのプロセッサを備える。
【００１５】
第８態様ではコンピュータ可読記憶媒体を提供し、該コンピュータ可読記憶媒体はコンピュータプログラムを記憶することに用いられ、該コンピュータプログラムによってコンピュータが上記第１態様〜第２態様のうちのいずれか１つの態様又はその各実現方式における方法を実行する。
【００１６】
第９態様ではコンピュータプログラム製品を提供し、該コンピュータプログラム製品はコンピュータプログラム命令を含み、該コンピュータプログラム命令によってコンピュータが上記第１態様〜第２態様のうちのいずれか１つの態様又はその各実現方式における方法を実行する。
【００１７】
第１０態様ではコンピュータプログラムを提供し、該コンピュータプログラムがコンピュータにおいて実行されるとき、コンピュータに上記第１態様〜第２態様のうちのいずれか１つの態様又はその各実現方式における方法を実行させる。
【発明の効果】
【００１８】
上記技術案によれば、ＤＣＩをスクランブルするＲＮＴＩでサブキャリア間隔を示すことにより、処理対象サービスのタイプが変化するとき、端末装置がサブキャリア間隔を迅速に切り替えることを可能にし、端末装置のサービスの豊かさとサービス能力を大幅に向上させ、通信性能を向上させる。
【図面の簡単な説明】
【００１９】
【図１】図１は本願の実施例に係る通信システムアーキテクチャの模式図である。
【図２】図２は本願の実施例に係る信号伝送方法の模式図である。
【図３】図３は本願の実施例に係る端末装置の模式的なブロック図である。
【図４】図４は本願の実施例に係るネットワーク装置の模式的なブロック図である。
【図５】図５は本願の実施例に係る通信装置の模式的なブロック図である。
【図６】図６は本願の実施例に係るチップの模式的なブロック図である。
【図７】図７は本願の実施例に係る通信システムの模式的なブロック図である。
【発明を実施するための形態】
【００２０】
以下、本願の実施例の図面を参照しながら、本願の実施例の技術案を説明し、無論、説明される実施例は本願の実施例の一部であり、実施例の全部ではない。本願の実施例に基づいて、当業者が進歩性のある労働を必要とせずに取得する他の実施例は、いずれも本願の保護範囲に属する。
【００２１】
本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ、Ｇｅｎｅｒａｌ  Ｐａｃｋｅｔ  Ｒａｄｉｏ  Ｓｅｒｖｉｃｅ）、ＬＴＥシステム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、マイクロ波利用アクセスに関する世界的な相互運用（ＷｉＭＡＸ、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム又は５Ｇシステム等に適用されてもよい。
【００２２】
例示的に、本願の実施例に適用される通信システム１００は図１に示される。該通信システム１００はネットワーク装置１１０を備えてもよく、ネットワーク装置１１０は端末装置１２０（通信端末、端末とも称される）と通信する装置であってもよい。ネットワーク装置１１０は特定の地理的領域に通信カバレッジを提供することができ、且つ該カバレッジ領域内の端末装置と通信することができる。選択肢として、該ネットワーク装置１１０はＧＳＭシステム又はＣＤＭＡシステムにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、ＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、クラウド無線アクセスネットワーク（ＣＲＡＮ、Ｃｌｏｕｄ  Ｒａｄｉｏ  Ａｃｃｅｓｓ  Ｎｅｔｗｏｒｋ）における無線制御装置であってもよい。又は、該ネットワーク装置は移動交換局、中継局、アクセスポイント、車載装置、ウェアラブル装置、ハブ、スイッチ、ブリッジ、ルータ、５Ｇネットワークにおけるネットワーク側装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）におけるネットワーク装置等であってもよい。
【００２３】
該通信システム１００は更にネットワーク装置１１０のカバレッジ範囲内の少なくとも１つの端末装置１２０を備える。ここで使用される「端末装置」はユーザー装置（ＵＥ、Ｕｓｅｒ  Ｅｑｕｉｐｍｅｎｔ）、アクセス端末、ユーザー要素、加入者局、移動局、トラバーサー、遠隔局、遠隔端末、モバイルデバイス、ユーザー端末、端末、無線通信装置、ユーザーエージェント又はユーザーデバイスを含むが、それらに限らない。アクセス端末はセルラー電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル装置、将来の５Ｇネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）における端末装置等であってもよく、本発明の実施例は制限しない。
【００２４】
選択肢として、端末装置１２０同士は装置対装置（Ｄ２Ｄ、Ｄｅｖｉｃｅ  ｔｏ  Ｄｅｖｉｃｅ）通信を行うことができる。
【００２５】
選択肢として、５Ｇシステム又は５Ｇネットワークは更に新無線（ＮＲ、Ｎｅｗ  Ｒａｄｉｏ）システム又はＮＲネットワークと称されてもよい。
【００２６】
図１には１つのネットワーク装置及び２つの端末装置を例示する。選択肢として、該通信システム１００は複数のネットワーク装置を備えてもよく、且つ各ネットワーク装置のカバレッジ範囲内に他の数の端末装置が含まれてもよく、本願の実施例は制限しない。
【００２７】
選択肢として、該通信システム１００は更にネットワーク制御装置、モビリティ管理エンティティ等の他のネットワークエンティティを備えてもよく、本願の実施例は制限しない。
【００２８】
理解されるように、本願の実施例では、ネットワーク／システムにおける通信機能を持つ装置が通信装置と称されてもよい。図１に示される通信システム１００を例とし、通信装置は通信機能を持つネットワーク装置１１０及び端末装置１２０を含んでもよい。ネットワーク装置１１０及び端末装置１２０は前記具体的な装置であってもよく、ここで詳細な説明は省略する。通信装置は更に通信システム１００における他の装置、例えばネットワーク制御装置、モビリティ管理エンティティ等の他のネットワークエンティティを含んでもよく、本願の実施例は制限しない。
【００２９】
理解されるように、本明細書における用語「システム」と「ネットワーク」は本明細書において常に交換可能に使用される。本明細書における用語「及び／又は」は関連オブジェクトの関連関係を説明するためのものに過ぎず、３つの関係が存在してもよいことを示す。例えば、「Ａ及び／又はＢ」は「Ａが独立して存在する」「ＡとＢが同時に存在する」「Ｂが独立して存在する」の３つの状況を示してもよい。また、本明細書における文字「／」は一般的に前後関連オブジェクトが「又は」の関係であることを示す。
【００３０】
ＬＴＥシステムにおいて、端末装置の動作帯域幅及びサブキャリア間隔はいずれも単一のものであり、動作帯域幅はセルシステム帯域幅に等しく、サブキャリア間隔は１５ｋＨｚであり、従って、端末装置は通常のサービス、例えばＭＢＢしかサポートできない。
【００３１】
５Ｇ標準には多くのサービスタイプ、例えば、拡張モバイルブロードバンド（ｅＭＢＢ、ｅｎｈａｎｃｅｄ  Ｍｏｂｉｌｅ  Ｂｒｏａｄｂａｎｄ）、ｕＲＬＬＣサービス及び大規模マシンタイプ通信（ＭＭＴＣ、ｍａｓｓｉｖｅ  Ｍａｃｈｉｎｅ  Ｔｙｐｅ  ｏｆ  Ｃｏｍｍｕｎｉｃａｔｉｏｎ）等のサービスが導入された場合、ＬＴＥシステムにおいて単一のサブキャリア間隔を用いることは通信要件を満たすことができない。従って、システムの柔軟性と正方向互換性を維持するために、５Ｇ標準には複数のＮｕｍｅｒｏｌｏｇｙが導入され、Ｎｕｍｅｒｏｌｏｇｙはサブキャリア間隔、特定帯域幅におけるサブキャリア数、物理リソースブロック（ＰＲＢ、ｐｈｙｓｉｃａｌ  ｒｅｓｏｕｒｃｅ  ｂｌｏｃｋ）におけるサブキャリア数、直交周波数分割多重（ＯＦＤＭ、Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルの長さ、ＯＦＤＭ信号を生成するためのフーリエ変換例えば高速フーリエ変換（ＦＦＴ、Ｆａｓｔ  Ｆｏｕｒｉｅｒ  Ｔｒａｎｓｆｏｒｍ）又は逆フーリエ変換例えば逆高速フーリエ変換（ＩＦＦＴ、Ｉｎｖｅｒｓｅ  Ｆａｓｔ  Ｆｏｕｒｉｅｒ  Ｔｒａｎｓｆｏｒｍ）の点数、送信時間間隔（ＴＴＩ、Ｔｒａｎｓｍｉｓｓｉｏｎ  Ｔｉｍｅ  Ｉｎｔｅｒｖａｌ）におけるＯＦＤＭシンボル数、特定時間長さ内に含まれるＴＴＩの個数及び信号プレフィックスの長さのうちの少なくとも１つを含んでもよい。
【００３２】
サブキャリア間隔とは隣接するサブキャリアの周波数間隔、例えば１５ｋＨｚ、６０ｋＨｚ等を指す。特定帯域幅におけるサブキャリア数は例えば各可能なシステム帯域幅に対応するサブキャリア数である。ＰＲＢに含まれるサブキャリア数は例えば代表的に１２の整数倍であってもよい。ＴＴＩに含まれるＯＦＤＭシンボル数は例えば代表的に１４の整数倍であってもよい。一定時間単位内に含まれるＴＴＩ数とは１ｍｓ又は１０ｍｓの時間長さ内に含まれるＴＴＩ数を指してもよい。信号プレフィックスの長さ例えば信号のサイクリックプレフィックスの時間長さ、又はサイクリックプレフィックスは通常のＣＰ又は拡張ＣＰを使用する。
【００３３】
それと同時に、５Ｇ標準にはＢＷＰが導入され、１つのＢＷＰが一部のシステム帯域幅のみをカバレッジし、あるＮｕｍｅｒｏｌｏｇｙのみに対応してもよい。ネットワーク装置は無線リソース制御（ＲＲＣ、Ｒａｄｉｏ  Ｒｅｓｏｕｒｃｅ  Ｃｏｎｔｒｏｌ）によって端末装置に複数のＢＷＰを設定することができ、各ＢＷＰが１種類のＮｕｍｅｒｏｌｏｇｙ（サブキャリア間隔、サイクリックプレフィックス（ＣＰ）を含む）に基づくものである。ある時刻で、１つの端末装置に対して１つのＢＷＰしかアクティブ化できない。つまり、１つの新しいＢＷＰがアクティブ化された場合、元のＢＷＰが非アクティブ化されることとなる。ネットワーク装置はダウンリンク制御情報（ＤＣＩ、Ｄｏｗｎｌｏａｄ  Ｃｏｎｔｒｏｌ  Ｉｎｆｏｒｍａｔｉｏｎ）によってあるＢＷＰを動的にアクティブ化又は非アクティブ化することができる。
【００３４】
サービスタイプが変化した場合、必要なＮｕｍｅｒｏｌｏｇｙも変化する必要があり、従来の解決手段はＢＷＰを切り替えることで実現される。しかしながら、ＢＷＰを切り替えるのに数百マイクロ秒〜数ミリ秒の過渡期が必要である。ＢＷＰを切り替える過渡期では、元のＢＷＰと新しいＢＷＰはいずれも使用不可能である可能性がある。このため、複数のＮｕｍｅｒｏｌｏｇｙを迅速に切り替えることができず、更に複数のサブキャリア間隔のリソースを同時にスケジューリングすることもできない。このように、５Ｇ端末装置のサービスの豊かさとサービス能力を大幅に制限する。
【００３５】
図２は本願の実施例に係るリソーススケジューリング方法２００の模式的なフローチャートである。図２に示すように、該方法２００は以下の一部又は全部を含む。
【００３６】
Ｓ２１０、ネットワーク装置は現在の処理対象サービスのタイプに基づいて、現在アクティブ状態にある端末装置の第１ＢＷＰにおいてリソースをスケジューリングするのに用いるサブキャリア間隔を決定する。
【００３７】
Ｓ２２０、前記ネットワーク装置は前記第１ＢＷＰにおけるリソースをスケジューリングするためのＤＣＩを前記端末装置に送信し、前記ＤＣＩをスクランブルする無線ネットワーク一時識別子（ＲＮＴＩ）は前記第１ＢＷＰにおいてリソースをスケジューリングするのに用いるサブキャリア間隔を示すことに用いられる。
【００３８】
Ｓ２３０、端末装置はネットワーク装置から送信された、現在アクティブ状態にある前記端末装置の第１帯域幅部分（ＢＷＰ）におけるリソースをスケジューリングするためのＤＣＩを受信する。
【００３９】
Ｓ２４０、前記端末装置は前記ＤＣＩをスクランブルする無線ネットワーク一時識別子（ＲＮＴＩ、Ｒａｄｉｏ  Ｎｅｔｗｏｒｋ  Ｔｅｍｐｏｒｙ  Ｉｄｅｎｔｉｔｙ）に対応するサブキャリア間隔を決定し、前記ＤＣＩをスクランブルするＲＮＴＩに対応するサブキャリア間隔は前記第１ＢＷＰにおいてリソースをスケジューリングするのに用いるサブキャリア間隔である。
【００４０】
具体的に、ネットワーク装置は端末装置に複数のＢＷＰを設定することができる。あるＢＷＰがアクティブ状態にある場合、ネットワーク装置は現在の処理対象サービスのタイプに基づいて、該ＢＷＰにおいてリソースをスケジューリングするのに用いるサブキャリア間隔を決定することができる。理解されるように、異なるサービスは異なるＮｕｍｅｒｏｌｏｇｙを必要とするため、ここでＮｕｍｅｒｏｌｏｇｙにおける他のパラメータであってもよく、例えばサイクリックプレフィックス（ＣＰ）であってもよい。つまり、ネットワーク装置は現在の処理対象サービスのタイプに基づいて、該ＢＷＰにおいてリソースをスケジューリングするのに用いるＣＰを決定することができ、ここで制限しない。ネットワーク装置は複数のＲＮＴＩと複数のサブキャリア間隔とのマッピング関係を予め設定することができ、そうすると、ネットワーク装置は用いるサブキャリア間隔を決定した後、該サブキャリア間隔に対応するＲＮＴＩを用いてＤＣＩをスクランブルして、スクランブル後のＤＣＩを端末装置に送信することができる。ここで、ＤＣＩはＢＷＰにおけるリソースをスケジューリングすることに用いられてもよく、端末装置は該ＤＣＩを受信した後、まず該ＤＣＩをスクランブルするＲＮＴＩに基づいて、対応するサブキャリア間隔を決定して、該サブキャリア間隔を用いてＤＣＩで示されるリソースにおいてネットワーク装置と現在の処理対象サービスを伝送してもよい。処理対象サービスのタイプが変化した場合、上記ステップＳ２１０〜Ｓ２４０を繰り返して実行してもよい。
【００４１】
従って、本願の実施例のリソーススケジューリング方法において、ＤＣＩをスクランブルするＲＮＴＩでサブキャリア間隔を示すことにより、処理対象サービスのタイプが変化した場合、端末装置がサブキャリア間隔を迅速に切り替えることを可能にし、端末装置のサービスの豊かさとサービス能力を大幅に向上させ、通信性能を向上させる。
【００４２】
理解されるように、該第１ＢＷＰはアップリンクＢＷＰであってもよく、即ち該ＤＣＩはアップリンクリソースをスケジューリングするシグナリングであってもよい。該第１ＢＷＰは更にダウンリンクＢＷＰであってもよく、即ち該ＤＣＩはダウンリンクリソースをスケジューリングするシグナリングであってもよい。該第１ＢＷＰがアップリンクＢＷＰである場合、端末装置はＤＣＩで示されるリソースにおいてネットワーク装置にサービスを伝送してもよく、又は、該第１ＢＷＰがダウンリンクＢＷＰである場合、端末装置はＤＣＩで示されるリソースにおいてネットワーク装置から伝送されたサービスを受信してもよい。
【００４３】
選択肢として、本願の実施例では、該ネットワーク装置が現在の処理対象サービスのタイプに基づいて、現在アクティブ状態にある端末装置の第１帯域幅部分（ＢＷＰ）においてリソースをスケジューリングするのに用いるサブキャリア間隔を決定することは、
該現在の処理対象サービスがｅＭＢＢサービスである場合、第１サブキャリア間隔を、該第１ＢＷＰにおいてリソースをスケジューリングするのに用いるサブキャリア間隔として決定することと、
該現在の処理対象サービスがｕＲＬＬＣサービスである場合、第２サブキャリア間隔を、該第１ＢＷＰにおいてリソースをスケジューリングするのに用いるサブキャリア間隔として決定し、該第２サブキャリア間隔が該第１サブキャリア間隔より大きいことと、を含む。
【００４４】
小さなサブキャリア間隔は比較的高いスペクトル効率を有するため、一般的なｅＭＢＢサービスの伝送に適するが、大きなサブキャリア間隔はより低い伝送遅延のサービスの実現に有利である。なお、ここでｅＭＢＢ及びＵＲＬＬＣの２種類のサービスを例とするが、本願の実施例は制限しない。例えば、将来必要なサブキャリア間隔に基づいてサービスをより細かい類別に分類しても、本願の実施例を適用することができる。
【００４５】
選択肢として、本願の実施例では、該ネットワーク装置が端末装置にダウンリンク制御情報（ＤＣＩ）を送信する前に、該方法は更に、
該ネットワーク装置が該端末装置に該第１ＢＷＰの構成パラメータを送信し、該構成パラメータが複数のサブキャリア間隔を含み、異なるサブキャリア間隔は異なるＲＮＴＩに対応することを含み、
同様に、該端末装置がネットワーク装置から送信されたダウンリンク制御情報（ＤＣＩ）を受信する前に、該方法は更に、
該端末装置が該第１ＢＷＰの構成パラメータを受信し、該構成パラメータが複数のサブキャリア間隔を含み、異なるサブキャリア間隔は異なるＲＮＴＩに対応することを含み、
該端末装置が該ＤＣＩをスクランブルする無線ネットワーク一時識別子（ＲＮＴＩ）に基づいて、該第１ＢＷＰにおいてリソースをスケジューリングするのに用いるサブキャリア間隔を決定することは、
該端末装置は該複数のサブキャリア間隔から、該ＤＣＩをスクランブルするＲＮＴＩに対応するサブキャリア間隔を決定することを含む。
【００４６】
以上に説明されるとおり、ネットワーク装置は端末装置に複数のＢＷＰを設定することができ、各ＢＷＰにはいずれも対応する構成パラメータがあり、各ＢＷＰの構成パラメータが１つのサブキャリア間隔に対応する。つまり、各ＢＷＰには１つのサブキャリア間隔が設定される。そして、本願の実施例では、ＢＷＰの構成パラメータを修正することにより、該構成パラメータに複数のサブキャリア間隔を含ませることができる。且つ、ネットワーク装置は該複数のサブキャリア間隔とＲＮＴＩとのマッピング関係を設定することができ、これにより、端末装置はＤＣＩを受信した後、該ＤＣＩをスクランブルするＲＮＴＩに基づいて、対応するサブキャリア間隔を決定することができる。
【００４７】
例えば、該第１ＢＷＰの構成パラメータが第１サブキャリア間隔と第２サブキャリア間隔を含み、該第１サブキャリア間隔が第１ＲＮＴＩに対応し、第２サブキャリア間隔が第２ＲＮＴＩに対応する。ネットワーク装置は現在のサービスに基づいて該第１サブキャリア間隔及び該第２サブキャリア間隔から１つのサブキャリア間隔を選択して、対応するＲＮＴＩを使用してＤＣＩをスクランブルする。端末装置はスクランブルされたＤＣＩを受信した後、ＤＣＩをスクランブルするＲＮＴＩに基づいてどのサブキャリア間隔であるかを決定することができる。第１ＲＮＴＩを使用してＤＣＩをスクランブルする場合、端末装置は第１サブキャリア間隔であることを決定でき、第２ＲＮＴＩを使用してＤＣＩをスクランブルする場合、端末装置は第２サブキャリア間隔であることを決定できる。
【００４８】
選択肢として、本願の実施例では、該ネットワーク装置が端末装置にダウンリンク制御情報（ＤＣＩ）を送信する前に、該方法は更に、
該ネットワーク装置が該端末装置に該第１ＢＷＰの構成パラメータを送信し、該構成パラメータが第１サブキャリア間隔を含み、該第１サブキャリア間隔が第１ＲＮＴＩに対応することと、
該ネットワーク装置は少なくとも１つのサブキャリア間隔を示すための第１構成情報を該端末装置に送信し、該少なくとも１つのサブキャリア間隔が少なくとも１つのＲＮＴＩに１対１に対応し、該少なくとも１つのＲＮＴＩが該第１ＲＮＴＩ以外のＲＮＴＩであることと、を含み、
同様に、該端末装置がネットワーク装置から送信されたダウンリンク制御情報（ＤＣＩ）を受信する前に、該方法は更に、
該端末装置が該第１ＢＷＰの構成パラメータを受信し、該構成パラメータが第１サブキャリア間隔を含み、該第１サブキャリア間隔が第１ＲＮＴＩに対応することと、
該端末装置は少なくとも１つのサブキャリア間隔を示すための第１構成情報を受信し、該少なくとも１つのサブキャリア間隔が少なくとも１つのＲＮＴＩに１対１に対応し、該少なくとも１つのＲＮＴＩが該第１ＲＮＴＩ以外のＲＮＴＩであることと、を含み、
該端末装置が該ＤＣＩをスクランブルする無線ネットワーク一時識別子（ＲＮＴＩ）に基づいて、該第１ＢＷＰにおいてリソースをスケジューリングするのに用いるサブキャリア間隔を決定することは、
該端末装置は該第１サブキャリア間隔及び該少なくとも１つのサブキャリア間隔から、該ＤＣＩをスクランブルするＲＮＴＩに対応するサブキャリア間隔を決定することを含む。
【００４９】
以上に説明されるとおり、ネットワーク装置は端末装置に複数のＢＷＰを設定することができ、各ＢＷＰにはいずれも対応する構成パラメータがあり、各ＢＷＰの構成パラメータが１つのサブキャリア間隔に対応する。つまり、各ＢＷＰには１つのサブキャリア間隔が設定される。そして、本願の実施例では、ネットワーク装置は更に端末装置に他のＲＮＴＩに対応するサブキャリア間隔を独立して設定することができる。且つ、ネットワーク装置は第１サブキャリア間隔及び以後に設定される少なくとも１つのサブキャリア間隔とＲＮＴＩとのマッピング関係を設定することができ、これにより、端末装置はＤＣＩを受信した後、該ＤＣＩをスクランブルするＲＮＴＩに基づいて、対応するサブキャリア間隔を決定することができる。
【００５０】
例えば、該第１ＢＷＰの構成パラメータが第１サブキャリア間隔を含む場合、ネットワーク装置は独立したシグナリングによって端末装置に第２サブキャリア間隔を設定し、該第１サブキャリア間隔が第１ＲＮＴＩに対応し、第２サブキャリア間隔が第２ＲＮＴＩに対応する。ネットワーク装置は現在のサービスに基づいて該第１サブキャリア間隔及び該第２サブキャリア間隔から１つのサブキャリア間隔を選択して、対応するＲＮＴＩを使用してＤＣＩをスクランブルする。端末装置はスクランブルされたＤＣＩを受信した後、ＤＣＩをスクランブルするＲＮＴＩに基づいてどのサブキャリア間隔であるかを決定することができる。第１ＲＮＴＩを使用してＤＣＩをスクランブルする場合、端末装置は第１サブキャリア間隔であることを決定でき、第２ＲＮＴＩを使用してＤＣＩをスクランブルする場合、端末装置は第２サブキャリア間隔であることを決定できる。
【００５１】
なお、ネットワーク装置が第１構成情報によって端末装置に示す少なくとも１つのサブキャリア間隔はＢＷＰを区別せず、つまり端末装置のすべてのＢＷＰに適用されてもよく、端末装置の各ＢＷＰに対してそれぞれ設定したものであってもよい。ここで制限しない。
【００５２】
上記実施例では、ＢＷＰの構成パラメータを修正することに比べて、この実施例は従来の５Ｇ技術との互換性を維持することができる。
【００５３】
選択肢として、本願の実施例では、該ネットワーク装置が端末装置にダウンリンク制御情報（ＤＣＩ）を送信する前に、該方法は更に、
該ネットワーク装置が該端末装置に該第１ＢＷＰの構成パラメータを送信し、該構成パラメータが第１サブキャリア間隔を含み、該第１サブキャリア間隔が第１ＲＮＴＩに対応することと、
該ネットワーク装置は少なくとも１つのサブキャリア間隔のうちの各サブキャリア間隔と該第１サブキャリア間隔とのマッピング関係を示すための第１構成情報を該端末装置に送信し、該少なくとも１つのサブキャリア間隔が少なくとも１つのＲＮＴＩに１対１に対応し、該少なくとも１つのＲＮＴＩが該第１ＲＮＴＩ以外のＲＮＴＩであることと、を含む。
【００５４】
以上に説明されるとおり、ネットワーク装置は端末装置に複数のＢＷＰを設定することができ、各ＢＷＰにはいずれも対応する構成パラメータがあり、各ＢＷＰの構成パラメータが１つのサブキャリア間隔に対応する。つまり、各ＢＷＰには１つのサブキャリア間隔が設定される。そして、本願の実施例では、他のサブキャリア間隔と構成パラメータに含まれるサブキャリア間隔とのマッピング関係は、予め定義されたもの、又はネットワーク装置によって設定されたものであってもよい。該他のサブキャリア間隔のうちの各サブキャリア間隔がそれぞれ１つのＲＮＴＩに対応する。ネットワーク装置は更に第１サブキャリア間隔及び第１サブキャリア間隔との対応関係を持つサブキャリア間隔とＲＮＴＩとのマッピング関係を設定することができ、これにより、端末装置はＤＣＩを受信した後、該ＤＣＩをスクランブルするＲＮＴＩに基づいて、対応するサブキャリア間隔を決定することができる。
【００５５】
例えば、該第１ＢＷＰの構成パラメータが第１サブキャリア間隔を含み、第１サブキャリア間隔とのマッピング関係を持つサブキャリア間隔が第２サブキャリア間隔であり、該第１サブキャリア間隔が第１ＲＮＴＩに対応し、第２サブキャリア間隔が第２ＲＮＴＩに対応する。ネットワーク装置は現在のサービスに基づいて該第１サブキャリア間隔及び該第２サブキャリア間隔から１つのサブキャリア間隔を選択して、対応するＲＮＴＩを使用してＤＣＩをスクランブルする。端末装置はスクランブルされたＤＣＩを受信した後、ＤＣＩをスクランブルするＲＮＴＩに基づいてどのサブキャリア間隔であるかを決定することができる。第１ＲＮＴＩを使用してＤＣＩをスクランブルする場合、端末装置は第１サブキャリア間隔であることを決定でき、第２ＲＮＴＩを使用してＤＣＩをスクランブルする場合、端末装置は第２サブキャリア間隔であることを決定できる。
【００５６】
選択肢として、予め定義し又はネットワーク装置により設定し得る第１サブキャリア間隔の候補値と第２サブキャリア間隔の候補値とのマッピングテーブルは表１に示される。
【００５７】
【表１】
2021530132.tif 000003
【００５８】
例えば、第１ＢＷＰの構成パラメータはＲＮＴＩ１に対応するサブキャリア間隔１５ｋＨｚを含む場合、端末装置は上記テーブルにおける対応関係１に基づいて、ＲＮＴＩ２に対応するサブキャリア間隔が６０ｋＨｚであることを決定できる。そうすると、端末装置はＲＮＴＩ１によりスクランブルされたＤＣＩを受信した後、サブキャリア間隔１５ｋＨｚを使用でき、端末装置はＲＮＴＩ２によりスクランブルされたＤＣＩを受信した後、サブキャリア間隔６０ｋＨｚを使用できる。同様に、ＲＮＴＩ１に対応するサブキャリア間隔が３０ｋＨｚ、６０ｋＨｚ、１２０ｋＨｚ及び２４０ｋＨｚである場合、上記テーブルによってＲＮＴＩ２に対応するサブキャリア間隔がそれぞれ１２０ｋＨｚ、１２０ｋＨｚ、２４０ｋＨｚ及び２４０ｋＨｚであることを決定できる。
【００５９】
選択肢として、第１サブキャリア間隔の候補値と第２サブキャリア間隔の候補値との倍数関係は予め定義されたもの、又はネットワーク装置によって設定されたものであってもよく、つまり、第１サブキャリア間隔から第２サブキャリア間隔を導出することができる。例えば、第２サブキャリア間隔＝Ｎ＊第１サブキャリア間隔であり、Ｎは予め定義された正数又はネットワーク装置により設定された正数であってもよく、例えば、Ｎが２、４又は８等であってもよい。理解されるように、Ｎが更に１／２、１／４等であってもよい。
【００６０】
選択肢として、本願の実施例では、前記端末装置がネットワーク装置から送信されたダウンリンク制御情報（ＤＣＩ）を受信する前に、前記方法は更に、前記端末装置は前記少なくとも１つのＲＮＴＩを使用できることを示すための第２構成情報を受信することを含む。
【００６１】
つまり、ネットワーク装置は構成パラメータ以外のサブキャリア間隔を使用できるかどうかを予め示すことができる。以上の説明を例とし、端末装置は第２構成情報によって第２ＲＮＴＩを使用できるかどうかを示すことができる。具体的に、第２構成情報の値が第１数値である場合、第２ＲＮＴＩを使用しないことを示し、例えば、該第１数値が０であり、第２構成情報の値が第２数値である場合、第２ＲＮＴＩを使用することを示し、例えば、該第２数値が１である。
【００６２】
選択肢として、本願の実施例では、該第１ＲＮＴＩはセル無線ネットワーク一時識別子（Ｃ−ＲＮＴＩ、Ｃｅｌｌ  Ｒａｄｉｏ  Ｎｅｔｗｏｒｋ  Ｔｅｍｐｏｒａｒｙ  Ｉｄｅｎｔｉｆｉｅｒ）であってもよい。該第２ＲＮＴＩはＣ−ＲＮＴＩ以外の他のＲＮＴＩであってもよく、例えば、設定スケジューリングＲＮＴＩ（ＣＳ−ＲＮＴＩ、Ｃｏｎｆｉｇｕｒｅｄ  Ｓｃｈｅｄｕｌｉｎｇ  ＲＮＴＩ）、中断ＲＮＴＩ（ＩＮＴ−ＲＮＴＩ、Ｉｎｔｅｒｒｕｐｔｉｏｎ  ＲＮＴＩ）、スロットフォーマット指示ＲＮＴＩ（ＳＦＩ−ＲＮＴＩ、Ｓｌｏｔ  Ｆｏｒｍａｔ  Ｉｎｄｉｃａｔｉｏｎ  ＲＮＴＩ）、準静的チャネル状態情報ＲＮＴＩ（ＳＰ−ＣＳＩ−ＲＮＴＩ、Ｓｅｍｉ−Ｐｅｒｓｉｓｔｅｎｔ  Ｃｈａｎｎｅｌ  Ｓｔａｔｅ  Ｉｎｆｏｒｍａｔｉｏｎ  ＲＮＴＩ）、送信電力制御サウンディング基準シンボルＲＮＴＩ（ＴＰＣ−ＳＲＳ−ＲＮＴＩ、Ｔｒａｎｓｍｉｔ  Ｐｏｗｅｒ  Ｃｏｎｔｒｏｌ−Ｓｏｕｎｄｉｎｇ  Ｒｅｆｅｒｅｎｃｅ  Ｓｙｍｂｏｌｓ−ＲＮＴＩ）であってもよい。該第２ＲＮＴＩは更に現在標準において定義されたＹ−ＲＮＴＩ、変調符号化スキームＣ−ＲＮＴＩ（ＭＣＳ−Ｃ−ＲＮＴＩ、Ｍｏｄｕｌａｔｉｏｎ  ａｎｄ  Ｃｏｄｉｎｇ  Ｓｃｈｅｍｅ−Ｃ−ＲＮＴＩ）、Ｄ−ＲＮＴＩ、一時的ＲＮＴＩ（Ｔｅｍｐ−ＲＮＴＩ）、セル信頼性ＲＮＴＩ（ＣＲ−ＲＮＴＩ、Ｃｅｌｌ  Ｒｅｌｉａｂｉｌｉｔｙ−ＲＮＴＩ）及び将来の標準において出現し得るＲＮＴＩであってもよい。
【００６３】
理解されるように、本願の様々な実施例では、上記各過程の番号は実行順序の前後を意味せず、各過程の実行順序はその機能及び内部論理によって決定されるべきであり、本願の実施例の実施過程を制限するためのものではない。
【００６４】
以上は本願の実施例に係るリソーススケジューリング方法を詳しく説明したが、以下に図３〜図６を参照しながら本願の実施例に係るリソーススケジューリング装置を説明し、方法実施例に説明される技術的特徴は以下の装置実施例に適用される。
【００６５】
図３は本願の実施例の端末装置３００の模式的なブロック図を示す。図３に示すように、該端末装置３００は、
ネットワーク装置から送信された、現在アクティブ状態にある前記端末装置の第１帯域幅部分（ＢＷＰ）におけるリソースをスケジューリングするためのダウンリンク制御情報（ＤＣＩ）を受信することに用いられる受信ユニット３１０と、
前記ＤＣＩをスクランブルする無線ネットワーク一時識別子（ＲＮＴＩ）に対応するサブキャリア間隔を決定することに用いられ、前記ＤＣＩをスクランブルするＲＮＴＩに対応するサブキャリア間隔は前記第１ＢＷＰにおいてリソースをスケジューリングするのに用いるサブキャリア間隔である決定ユニット３２０と、を備える。
【００６６】
選択肢として、本願の実施例では、前記受信ユニットは更に、前記第１ＢＷＰの構成パラメータを受信することを含み、前記構成パラメータが複数のサブキャリア間隔を含み、異なるサブキャリア間隔は異なるＲＮＴＩに対応し、前記決定ユニットは具体的に、前記複数のサブキャリア間隔から、前記ＤＣＩをスクランブルするＲＮＴＩに対応するサブキャリア間隔を決定することに用いられる。
【００６７】
選択肢として、本願の実施例では、前記受信ユニットは更に、
前記第１ＢＷＰの構成パラメータを受信し、前記構成パラメータが第１サブキャリア間隔を含み、前記第１サブキャリア間隔が第１ＲＮＴＩに対応することと、
少なくとも１つのサブキャリア間隔を示すための第１構成情報を受信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられ、
前記決定ユニットは具体的に、前記第１サブキャリア間隔及び前記少なくとも１つのサブキャリア間隔から、前記ＤＣＩをスクランブルするＲＮＴＩに対応するサブキャリア間隔を決定することに用いられる。
【００６８】
選択肢として、本願の実施例では、前記少なくとも１つのサブキャリア間隔は前記ネットワーク装置が前記第１ＢＷＰに設定したものである。
【００６９】
選択肢として、本願の実施例では、前記受信ユニットは更に、
前記第１ＢＷＰの構成パラメータを受信し、前記構成パラメータが第１サブキャリア間隔を含み、前記第１サブキャリア間隔が第１ＲＮＴＩに対応することと、
少なくとも１つのサブキャリア間隔のうちの各サブキャリア間隔と前記第１サブキャリア間隔とのマッピング関係を示すための第１構成情報を受信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられ、
前記決定ユニットは具体的に、前記第１サブキャリア間隔及び前記少なくとも１つのサブキャリア間隔から、前記ＤＣＩをスクランブルするＲＮＴＩに対応するサブキャリア間隔を決定することに用いられる。
【００７０】
選択肢として、本願の実施例では、前記ＤＣＩをスクランブルするＲＮＴＩが前記少なくとも１つのＲＮＴＩのうちの第２ＲＮＴＩである場合、前記決定ユニットは更に、前記第１サブキャリア間隔及び前記マッピング関係に基づいて前記第２ＲＮＴＩに対応する第２サブキャリア間隔を決定することに用いられ、
前記決定ユニットは具体的に、前記第２サブキャリア間隔を、前記第１ＢＷＰにおいてリソースをスケジューリングするのに用いるサブキャリア間隔として決定することに用いられる。
【００７１】
選択肢として、本願の実施例では、前記マッピング関係は予め定義されたマッピングテーブル又は前記ネットワーク装置が設定したマッピングテーブルで示され、又は、前記マッピング関係は予め定義された倍数又は分数関係、あるいは前記ネットワーク装置が設定した倍数又は分数関係で示される。
【００７２】
選択肢として、本願の実施例では、前記受信ユニットは更に、前記少なくとも１つのＲＮＴＩを使用できることを示すための第２構成情報を受信することに用いられる。
【００７３】
選択肢として、本願の実施例では、前記第１ＲＮＴＩが前記少なくとも１つのＲＮＴＩのタイプと異なり、前記第１ＲＮＴＩがＣ−ＲＮＴＩである。
【００７４】
選択肢として、本願の実施例では、前記第１ＢＷＰがアップリンクＢＷＰ又はダウンリンクＢＷＰである。
【００７５】
理解されるように、本願の実施例に係る端末装置３００は本願の方法実施例の端末装置に対応してもよく、且つ端末装置３００の各ユニットの上記及び他の操作及び／又は機能はそれぞれ図２における方法における端末装置の対応プロセスを実現するためのものである。簡潔のために、ここで詳細な説明は省略する。
【００７６】
図４は本願の実施例のネットワーク装置４００の模式的なブロック図を示す。図４に示すように、該ネットワーク装置４００は、
現在の処理対象サービスのタイプに基づいて、現在アクティブ状態にある端末装置の第１帯域幅部分（ＢＷＰ）においてリソースをスケジューリングするのに用いるサブキャリア間隔を決定することに用いられる決定ユニット４１０と、
前記第１ＢＷＰにおけるリソースをスケジューリングするためのダウンリンク制御情報（ＤＣＩ）を前記端末装置に送信することに用いられ、前記ＤＣＩをスクランブルする無線ネットワーク一時識別子（ＲＮＴＩ）は前記第１ＢＷＰにおいてリソースをスケジューリングするのに用いるサブキャリア間隔を示すことに用いられる送信ユニット４２０と、を備える。
【００７７】
選択肢として、本願の実施例では、前記送信ユニットは更に、前記端末装置に前記第１ＢＷＰの構成パラメータを送信することに用いられ、前記構成パラメータが複数のサブキャリア間隔を含み、異なるサブキャリア間隔は異なるＲＮＴＩに対応することを特徴とする。
【００７８】
選択肢として、本願の実施例では、前記送信ユニットは更に、
前記端末装置に前記第１ＢＷＰの構成パラメータを送信し、前記構成パラメータが第１サブキャリア間隔を含み、前記第１サブキャリア間隔が第１ＲＮＴＩに対応することと、
少なくとも１つのサブキャリア間隔を示すための第１構成情報を前記端末装置に送信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられる。
【００７９】
選択肢として、本願の実施例では、前記少なくとも１つのサブキャリア間隔は前記ネットワーク装置が前記第１ＢＷＰに設定したものである。
【００８０】
選択肢として、本願の実施例では、前記送信ユニットは更に、
前記端末装置に前記第１ＢＷＰの構成パラメータを送信し、前記構成パラメータが第１サブキャリア間隔を含み、前記第１サブキャリア間隔が第１ＲＮＴＩに対応することと、
少なくとも１つのサブキャリア間隔のうちの各サブキャリア間隔と前記第１サブキャリア間隔とのマッピング関係を示すための第１構成情報を前記端末装置に送信し、前記少なくとも１つのサブキャリア間隔が少なくとも１つのＲＮＴＩに１対１に対応し、前記少なくとも１つのＲＮＴＩが前記第１ＲＮＴＩ以外のＲＮＴＩであることと、に用いられる。
【００８１】
選択肢として、本願の実施例では、前記マッピング関係は予め定義されたマッピングテーブル又は前記ネットワーク装置が設定したマッピングテーブルで示され、又は、前記マッピング関係は予め定義された倍数又は分数関係、あるいは前記ネットワーク装置が設定した倍数又は分数関係で示される。
【００８２】
選択肢として、本願の実施例では、前記送信ユニットは更に、前記少なくとも１つのＲＮＴＩを使用できることを示すための第２構成情報を前記端末装置に送信することに用いられる。
【００８３】
選択肢として、本願の実施例では、前記第１ＲＮＴＩが前記少なくとも１つのＲＮＴＩのタイプと異なり、前記第１ＲＮＴＩがＣ−ＲＮＴＩである。
【００８４】
選択肢として、本願の実施例では、前記決定ユニットは具体的に、
前記現在の処理対象サービスが拡張モバイルブロードバンド（ｅＭＢＢ）サービスである場合、第１サブキャリア間隔を、前記第１ＢＷＰにおいてリソースをスケジューリングするのに用いるサブキャリア間隔として決定することと、
前記現在の処理対象サービスが超高信頼低遅延（ＵＲＬＬＣ）サービスである場合、第２サブキャリア間隔を、前記第１ＢＷＰにおいてリソースをスケジューリングするのに用いるサブキャリア間隔として決定し、前記第２サブキャリア間隔が前記第１サブキャリア間隔より大きいことと、に用いられる。
【００８５】
選択肢として、本願の実施例では、前記第１ＢＷＰがアップリンクＢＷＰ又はダウンリンクＢＷＰである。
【００８６】
理解されるように、本願の実施例に係るネットワーク装置４００は本願の方法実施例のネットワーク装置に対応してもよく、且つネットワーク装置４００の各ユニットの上記及び他の操作及び／又は機能はそれぞれ図２における方法におけるネットワーク装置の対応プロセスを実現するためのものである。簡潔のために、ここで詳細な説明は省略する。
【００８７】
図５は本願の実施例に係る通信装置５００の構造模式図である。図５に示される通信装置５００はプロセッサ５１０を備え、プロセッサ５１０はメモリからコンピュータプログラムを呼び出して実行して、本願の実施例の方法を実現することができる。
【００８８】
選択肢として、図５に示すように、通信装置５００は更にメモリ５２０を備えてもよい。プロセッサ５１０はメモリ５２０からコンピュータプログラムを呼び出して実行して、本願の実施例の方法を実現することができる。
【００８９】
メモリ５２０はプロセッサ５１０から独立した１つの独立したデバイスであってもよく、プロセッサ５１０に統合されてもよい。
【００９０】
選択肢として、図５に示すように、通信装置５００は更に送受信機５３０を備えてもよく、プロセッサ５１０は該送受信機５３０と他の装置との通信を制御することができ、具体的に、他の装置に情報又はデータを送信し、あるいは他の装置から送信された情報又はデータを受信することができる。
【００９１】
送受信機５３０は送信機と受信機を備えてもよい。送受信機５３０は更にアンテナを備えてもよく、アンテナの数が１つ又は複数であってもよい。
【００９２】
選択肢として、該通信装置５００は具体的に本願の実施例のネットワーク装置であってもよく、且つ該通信装置５００は本願の実施例の各方法におけるネットワーク装置の実現する対応プロセスを実現することができる。簡潔のために、ここで詳細な説明は省略する。
【００９３】
選択肢として、該通信装置５００は具体的に本願の実施例の端末装置であってもよく、且つ該通信装置５００は本願の実施例の各方法におけるモバイル端末／端末装置の実現する対応プロセスを実現することができる。簡潔のために、ここで詳細な説明は省略する。
【００９４】
図６は本願の実施例のチップの構造模式図である。図６に示されるチップ６００はプロセッサ６１０を備え、プロセッサ６１０はメモリからコンピュータプログラムを呼び出して実行して、本願の実施例の方法を実現することができる。
【００９５】
選択肢として、図６に示すように、チップ６００は更にメモリ６２０を備えてもよい。プロセッサ６１０はメモリ６２０からコンピュータプログラムを呼び出して実行して、本願の実施例の方法を実現することができる。
【００９６】
メモリ６２０はプロセッサ６１０から独立した１つの独立したデバイスであってもよく、プロセッサ６１０に統合されてもよい。
【００９７】
選択肢として、該チップ６００は更に入力インターフェース６３０を備えてもよい。プロセッサ６１０は該入力インターフェース６３０と他の装置又はチップとの通信を制御することができ、具体的に、他の装置又はチップから送信された情報又はデータを取得することができる。
【００９８】
選択肢として、該チップ６００は更に出力インターフェース６４０を備えてもよい。プロセッサ６１０は該出力インターフェース６４０と他の装置又はチップとの通信を制御することができ、具体的に、他の装置又はチップに情報又はデータを出力することができる。
【００９９】
選択肢として、該チップは本願の実施例のネットワーク装置に適用されてもよく、且つ該チップは本願の実施例の各方法におけるネットワーク装置の実現する対応プロセスを実現することができる。簡潔のために、ここで詳細な説明は省略する。
【０１００】
選択肢として、該チップは本願の実施例の端末装置に適用されてもよく、且つ該チップは本願の実施例の各方法におけるモバイル端末／端末装置の実現する対応プロセスを実現することができる。簡潔のために、ここで詳細な説明は省略する。
【０１０１】
理解されるように、本願の実施例に言及したチップは更にシステムレベルチップ、システムチップ、チップシステム又はシステムオンチップ等と称されてもよい。
【０１０２】
図７は本願の実施例に係る通信システム７００の模式的なブロック図である。図７に示すように、該通信システム７００は端末装置７１０及びネットワーク装置７２０を備える。
【０１０３】
該端末装置７１０は上記方法における端末装置の実現する対応機能を実現することに用いられてもよく、該ネットワーク装置７２０は上記方法におけるネットワーク装置の実現する対応機能を実現することに用いられてもよい。簡潔のために、ここで詳細な説明は省略する。
【０１０４】
理解されるように、本願の実施例のプロセッサは信号処理機能を有する集積回路チップであってもよい。実現過程において、上記方法実施例の各ステップはプロセッサにおけるハードウェアの集積論理回路又はソフトウェア形式の命令で行われてもよい。上記プロセッサは汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネントであってもよい。本願の実施例に開示される各方法、ステップ及び論理ブロックを実現又は実行することができる。汎用プロセッサはマイクロプロセッサであってもよく、又は該プロセッサはいかなる通常のプロセッサ等であってもよい。本願の実施例に開示される方法のステップはハードウェア復号プロセッサで実行して完了し、又は復号プロセッサにおけるハードウェア及びソフトウェアモジュールの組み合わせで実行して完了するように直接具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリに位置し、プロセッサはメモリにおける情報を読み取り、そのハードウェアと組み合わせて上記方法のステップを行う。
【０１０５】
理解されるように、本願の実施例では、メモリは揮発性メモリであっても、又は不揮発性メモリであってもよく、又は、揮発性メモリ及び不揮発性メモリの両方を含んでもよい。不揮発性メモリは読み出し専用メモリ（ＲＯＭ、Ｒｅａｄ−Ｏｎｌｙ  Ｍｅｍｏｒｙ）、プログラム可能読み出し専用メモリ（ＰＲＯＭ、Ｐｒｏｇｒａｍｍａｂｌｅ  ＲＯＭ）、消去可能プログラム可能読み出し専用メモリ（ＥＰＲＯＭ、Ｅｒａｓａｂｌｅ  ＰＲＯＭ）、電気的消去可能プログラム可能読み出し専用メモリ（ＥＥＰＲＯＭ、Ｅｌｅｃｔｒｉｃａｌｌｙ  ＥＰＲＯＭ）又はフラッシュメモリであってもよい。揮発性メモリは外部キャッシュメモリとして使用されるランダムアクセスメモリ（ＲＡＭ、Ｒａｎｄｏｍ  Ａｃｃｅｓｓ  Ｍｅｍｏｒｙ）であってもよい。例示的な説明であって制限的ではないが、多くの形式のＲＡＭ、例えばスタティックランダムアクセスメモリ（ＳＲＡＭ、Ｓｔａｔｉｃ  ＲＡＭ）、ダイナミックランダムアクセスメモリ（ＤＲＡＭ、Ｄｙｎａｍｉｃ  ＲＡＭ）、シンクロナスダイナミックランダムアクセスメモリ（ＳＤＲＡＭ、Ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、Ｄｏｕｂｌｅ  Ｄａｔａ  Ｒａｔｅ  ＳＤＲＡＭ）、拡張型シンクロナスダイナミックランダムアクセスメモリ（ＥＳＤＲＡＭ、Ｅｎｈａｎｃｅｄ  ＳＤＲＡＭ）、シンクリンクダイナミックランダムアクセスメモリ（ＳＬＤＲＡＭ、Ｓｙｎｃｈｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）は利用可能である。注意されるように、本明細書に説明されるシステム及び方法のメモリはこれらのメモリ及び任意の他の適切なタイプのメモリを含むが、それらに限らないように意図されるものである。
【０１０６】
理解されるように、上記メモリは例示的な説明であって制限的ではなく、例えば、本願の実施例のメモリは更にスタティックランダムアクセスメモリ（ＳＲＡＭ、ｓｔａｔｉｃ  ＲＡＭ）、ダイナミックランダムアクセスメモリ（ＤＲＡＭ、ｄｙｎａｍｉｃ  ＲＡＭ）、シンクロナスダイナミックランダムアクセスメモリ（ＳＤＲＡＭ、ｓｙｎｃｈｒｏｎｏｕｓ  ＤＲＡＭ）、ダブルデータレートシンクロナスダイナミックランダムアクセスメモリ（ＤＤＲ  ＳＤＲＡＭ、ｄｏｕｂｌｅ  ｄａｔａ  ｒａｔｅ  ＳＤＲＡＭ）、拡張型シンクロナスダイナミックランダムアクセスメモリ（ＥＳＤＲＡＭ、ｅｎｈａｎｃｅｄ  ＳＤＲＡＭ）、シンクリンクダイナミックランダムアクセスメモリ（ＳＬＤＲＡＭ、ｓｙｎｃｈ  ｌｉｎｋ  ＤＲＡＭ）及びダイレクトラムバスランダムアクセスメモリ（ＤＲ  ＲＡＭ、Ｄｉｒｅｃｔ  Ｒａｍｂｕｓ  ＲＡＭ）等であってもよい。つまり、本願の実施例のメモリはこれらのメモリ及び任意の他の適切なタイプのメモリを含むが、それらに限らないように意図されるものである。
【０１０７】
本願の実施例は更にコンピュータ可読記憶媒体を提供し、該コンピュータ可読記憶媒体はコンピュータプログラムを記憶することに用いられる。
【０１０８】
選択肢として、該コンピュータ可読記憶媒体は本願の実施例のネットワーク装置に適用されてもよく、且つ該コンピュータプログラムによってコンピュータが本願の実施例の各方法におけるネットワーク装置の実現する対応プロセスを実行する。簡潔のために、ここで詳細な説明は省略する。
【０１０９】
選択肢として、該コンピュータ可読記憶媒体は本願の実施例の端末装置に適用されてもよく、且つ該コンピュータプログラムによってコンピュータが本願の実施例の各方法におけるモバイル端末／端末装置の実現する対応プロセスを実行する。簡潔のために、ここで詳細な説明は省略する。
【０１１０】
本願の実施例は更にコンピュータプログラム製品を提供し、該コンピュータプログラム製品はコンピュータプログラム命令を含む。
【０１１１】
選択肢として、該コンピュータプログラム製品は本願の実施例のネットワーク装置に適用されてもよく、且つ該コンピュータプログラム命令によってコンピュータが本願の実施例の各方法におけるネットワーク装置の実現する対応プロセスを実行する。簡潔のために、ここで詳細な説明は省略する。
【０１１２】
選択肢として、該コンピュータプログラム製品は本願の実施例の端末装置に適用されてもよく、且つ該コンピュータプログラム命令によってコンピュータが本願の実施例の各方法におけるモバイル端末／端末装置の実現する対応プロセスを実行する。簡潔のために、ここで詳細な説明は省略する。
【０１１３】
本願の実施例は更にコンピュータプログラムを提供する。
【０１１４】
選択肢として、該コンピュータプログラムは本願の実施例のネットワーク装置に適用されてもよく、該コンピュータプログラムがコンピュータにおいて実行されるとき、コンピュータが本願の実施例の各方法におけるネットワーク装置の実現する対応プロセスを実行する。簡潔のために、ここで詳細な説明は省略する。
【０１１５】
選択肢として、該コンピュータプログラムは本願の実施例の端末装置に適用されてもよく、該コンピュータプログラムがコンピュータにおいて実行されるとき、コンピュータが本願の実施例の各方法におけるモバイル端末／端末装置の実現する対応プロセスを実行する。簡潔のために、ここで詳細な説明は省略する。
【０１１６】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１１７】
当業者であれば明確に理解できるように、説明を容易で簡単にするために、上記説明されるシステム、装置及びユニットの具体的な動作過程については、前述の方法実施例における対応過程を参照してもよく、ここで詳細な説明は省略する。
【０１１８】
本願に係るいくつかの実施例では、理解されるように、開示されるシステム、装置及び方法は他の方式で実現されてもよい。例えば、以上に説明される装置実施例は模式的なものに過ぎず、例えば、前記ユニットの区別は論理機能上の区別に過ぎず、実際に実現するとき、他の区別方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１１９】
分離部材として説明される前記ユニットは物理的に分離してもよく、物理的に分離しなくてもよく、ユニットとして表示される部材は物理ユニットであってもよく、物理ユニットでなくてもよく、即ち一箇所に位置してもよく、複数のネットワークユニットに配置されてもよい。実際の必要に応じて、その一部又は全部のユニットを選択して本実施例案の目的を実現してもよい。
【０１２０】
また、本願の各実施例では、各機能ユニットは１つの処理ユニットに統合されてもよく、各ユニットは独立して物理的に存在してもよく、２つ以上のユニットは１つのユニットに統合されてもよい。
【０１２１】
前記機能はソフトウェア機能ユニットの形式で実現され、独立した製品として販売又は使用されるときは、１つのコンピュータ可読記憶媒体に記憶されてもよい。このような理解に基づいて、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等であってもよい）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１２２】
以上の説明は本願の具体的な実施形態であって、本願の保護範囲を制限するためのものではない。当業者が本願に開示される技術的範囲内で容易に想到し得る変更や置換は、いずれも本願の保護範囲内に含まれるべきである。従って、本願の保護範囲は特許請求の範囲に準じるべきである。
【図１】
2021530132.tif 000004
【図２】
2021530132.tif 000005
【図３】
2021530132.tif 000006
【図４】
2021530132.tif 000007
【図５】
2021530132.tif 000008
【図６】
2021530132.tif 000009
【図７】
2021530132.tif 000010
【国際調査報告】
2021530132.tif 000011
2021530132.tif 000012
2021530132.tif 000013
2021530132.tif 000014